(57)【要約】      （修正有）【課題】施設検索条件に対し合致する施設とその施設に関連する施設を検索し、適切な施設の情報を出力することができる施設情報提供装置を提供する。【解決手段】施設情報サーバ１は、施設毎に該施設データと該施設に関連する施設の関連施設データを施設情報データベース１２に記憶し、ＣＰＵ１１が施設を検索する際に、施設検索条件に合致する施設とさらにその施設に関連する施設も検索し、それら検索された施設の情報を端末に出力する。【選択図】図１
2011107874.tif 000002
【特許請求の範囲】
【請求項１】
施設毎に該施設データと該施設に関連する施設の関連施設データを記憶した施設情報記憶手段と、
施設検索条件を取得する施設検索条件取得手段と、
該施設検索条件取得手段により取得された施設検索条件により前記施設情報記憶手段に記憶された施設データにより施設を検索する施設情報検索手段と、
該施設情報検索手段により検索された施設の情報を提供する施設情報提供手段と、を備え、
前記施設情報検索手段は、前記施設情報記憶手段に記憶された施設データと関連施設データから前記施設検索条件に合致する施設と該施設に関連する施設を前記施設情報記憶手段から検索することを特徴とする施設情報提供装置。
【請求項２】
前記施設情報記憶手段は、端末装置から施設の情報の書き込みを受け付け、該書き込み情報を施設データとして更新または蓄積することを特徴とする請求項１記載の施設情報提供装置。
【請求項３】
前記施設情報検索手段は、前記施設情報記憶手段に更新または蓄積された書き込み情報から施設を検索することを特徴とする請求項２記載の施設情報提供装置。
【請求項４】
前記施設情報検索手段は、前記関連する施設の書き込み情報で補間することにより、前記施設検索条件に合致する施設を検索することを特徴とする請求項３記載の施設情報提供装置。
【請求項５】
前記施設情報提供手段は、前記施設情報検索手段において補間した施設の書き込み情報を、施設の情報として提供することを特徴とする請求項４記載の情報提供装置。
【発明の詳細な説明】
【技術分野】
【０００１】
本発明は、施設を検索し、検索された施設に関する情報を提供する施設情報提供装置に関する。
【背景技術】
【０００２】
従来より、店舗などの施設の情報を情報サーバに記憶し、パーソナルコンピュータや携帯電話などの携帯端末やナビゲーション装置などの端末装置から情報サーバにアクセスし、目的となる施設を検索するシステムが広く知られている。そして、端末装置から各店舗に対する「口コミ」情報として、情報サーバの掲示板などに、店舗の評価などを書き込みして、他の端末装置を使うユーザから閲覧することができるシステムがある（例えば特許文献１参照）。このシステムでは、端末装置から探したい施設の検索要求をサーバに対して送信し、サーバは検索要求に対する施設を検索し、その施設に書き込まれた文章やその文章から解析した評価情報を抽出し、端末装置に送信するものである。
【先行技術文献】
【特許文献】
【０００３】
【特許文献１】特開２００６−３０１７１８号公報
【発明の概要】
【発明が解決しようとする課題】
【０００４】
上述した特許文献１に記載されたシステムでは、端末装置から探したい施設のキーワードを入力しサーバに送信し、サーバは書き込みされた文章からキーワードに一致するものを検索し、その文章に対応する施設を検索する。ただし、書き込み情報を検索対象とすると、施設によっては書き込みされていない施設があり、それらは検索されないという問題がある。例えば、飲食店で、系列店などの関連する施設がある場合、片方のＡ店には書き込み情報があるが、他方のＢ店にはない場合がある。それら店舗は同市内にあって、かつ同じ料理メニューや味であっても、上記システムではＢ店は検索されないことになり、検索され提供される情報としては不足する。
【０００５】
そこで本発明では、上記問題点を解決するために、検索条件に対し合致する施設とその施設に関連する施設を検索し、適切な施設情報を提供することができる施設情報提供装置を提供することを目的とする。
【課題を解決するための手段】
【０００６】
前記目的を達成するため、請求項１における施設情報提供装置は、施設毎に施設データと該施設に関連する施設の関連施設データを記憶した施設情報記憶手段と、施設検索条件を取得する施設検索条件取得手段と、該施設検索条件取得手段により取得された施設検索条件により前記施設情報記憶手段から施設データを検索する施設情報検索手段と、該施設情報検索手段により検索された施設の情報を端末装置に提供する施設情報提供手段とを備え、前記施設情報検索手段は、前記検索条件に合致する施設と該施設に関連する施設を前記施設情報記憶手段から検索することを特徴とする。
【０００７】
また、請求項２における施設情報提供装置は、請求項１記載の施設情報提供装置において、施設情報記憶手段は、端末装置から施設の情報の書き込みを受け付け、該書き込み情報を施設データとして更新または蓄積することを特徴とする。
【０００８】
更に、請求項３における施設情報提供装置は、請求項２記載の施設情報提供装置において、施設情報検索手段は、施設情報記憶手段に更新または蓄積された書き込み情報から施設を検索することを特徴とする。
【０００９】
更に、請求項４における施設情報提供装置は、請求項３記載の施設情報提供装置において、施設情報検索手段は、関連する施設の書き込み情報で補間することにより、前記施設検索条件に合致する施設を検索することを特徴とする。
【００１０】
更に、請求項５における施設情報提供装置は、請求項４記載の施設情報提供装置において、施設情報検索手段において補間した施設の書き込み情報を、施設の情報として提供することを特徴とする。
【発明の効果】
【００１１】
請求項１における施設情報提供装置においては、施設毎に該施設データと該施設に関連する施設の関連施設データを記憶し、施設を検索する際に、施設検索条件に合致する施設とさらにその施設に関連する施設も検索されて、その検索された施設から施設の情報が提供されるので、施設検索において情報の幅が広がり、検索を要求したユーザにとっては、施設選択のための情報が拡充され利便性が向上する。
【００１２】
また、請求項２における施設情報提供装置においては、さらに端末装置から施設の情報の書き込みを受け付け、該書き込み情報を施設の情報として更新または蓄積するので、施設に関する第三者の感想や評価をもとに施設の情報を提供することができる。
【００１３】
更に、請求項３における施設情報提供装置においては、施設情報記憶手段に更新または蓄積された書き込み情報から施設を検索するので、施設に関する第三者の感想や評価をもとに施設を選択することができ、さらに利便性が向上する。
【００１４】
更に、請求項４における施設情報提供装置においては、施設の情報を、関連する施設の書き込み情報で補間することにより、施設条件に合致する施設を検索するので、元々書き込み情報のない施設も検索対象となり、施設検索において情報の幅が広がり、検索を要求したユーザにとっては、施設選択のための情報が拡充され利便性が向上する。
【００１５】
更に、請求項５における施設情報提供装置においては、関連する施設の書き込み情報で補間した書き込み情報を、施設の情報として提供するので、ユーザにとって施設の選択にあたり有益な情報を得ることができる。
【図面の簡単な説明】
【００１６】
【図１】図１は本発明の実施形態における施設情報提供装置を含むシステムを示したブロック図である。
【図２】図２は本発明の実施形態における施設情報提供装置に記憶される施設情報データ構造を示したものである。
【図３】図３は本発明の実施形態における施設情報提供装置を含むシステムの処理動作を示すフローチャートである。
【図４】図４は本発明の実施形態における施設情報提供装置から施設を検索するための検索条件を入力する画面を模式的に示す図である。
【図５】図５は本発明の実施形態における施設情報提供装置から検索した施設の情報を表示する画面を模式的に示す図である。
【図６】図６は本発明の実施形態における施設情報提供装置に書き込みされる書き込み情報を入力する画面を模式的に示す図である。
【図７】図７は本発明の実施形態における施設情報提供装置を含むシステムの処理動作を示すフローチャートである。
【図８】図８は本発明の実施形態における施設情報提供装置から検索した施設とその施設の情報を一時的に記憶するデータを示したものである。
【図９】図９は本発明の実施形態における施設情報提供装置から検索した施設の詳細情報を表示する画面を模式的に示す図である。
【図１０】図１０は本発明の実施形態における施設情報提供装置を含むシステムの処理動作を示すフローチャートである。
【図１１】図１１は本発明の実施形態における施設情報提供装置から施設を検索するための検索条件を入力する画面を模式的に示す図である。
【発明を実施するための形態】
【００１７】
以下、本発明の実施の形態について、図面に基づいて説明する。なお、実施の形態において、図示の同一記号及び同一符号は、同一または相当する機能部分であるから、ここではその重複する説明を省略する。
図１は本発明の実施形態における施設情報提供装置を含むシステムを示したブロック図である。
【００１８】
図１に示すように本実施の形態に係るシステムは、施設情報提供装置である施設情報サーバ１と、端末装置２１、２２、２３と、ネットワーク３から基本的に構成される。施設情報サーバ１と端末装置２１、２２、２３とは、ネットワーク３を介して情報の双方向の送受信が可能であり、端末装置２１、２２、２３から施設検索条件などを施設情報サーバ１に送信し、施設情報サーバ１は、施設検索条件に応じて検索された施設の施設情報を端末装置２１、２２、２３に送信できるよう構成されている。
【００１９】
ネットワーク３としては、例えばＬＡＮ（Local  Area  Network）、ＷＡＮ（Wide  Area  Network）、イントラネット、携帯電話回線網、電話回線網、公衆通信回線網、専用通信回線網、インターネット等の通信回線網の通信系を使用することができる。
【００２０】
施設情報サーバ１は、図１に示すように、施設情報検索処理や端末装置２１、２２、２３との情報の送受信を指示するなどの全体の処理や制御を行うためのＣＰＵ１１、またＣＰＵ１１が各種の処理や制御を行うにあたりワーキングメモリとして使用されるＲＡＭ１２、さらに各種の処理や制御のためのプログラムが記憶されたＲＯＭ１３、また、施設情報記憶手段としての施設情報データベース１４を備えている。この施設情報サーバ１は、通信装置１５を介してネットワーク３に接続される。
【００２１】
ＲＯＭ１３内には、端末装置２１、２２、２３との情報の送受信を指示したり、端末装置２１、２２、２３から受信した施設検索条件から施設情報データベース１４に記憶された施設の施設情報により施設を検索したり、検索された施設の施設情報を端末装置２１、２２、２３に送信するために編集したり、その施設情報を端末装置２１、２２、２３に送信する指示をしたりする制御プログラムが記憶されている。
【００２２】
尚、このＲＯＭ１３に記憶されたプログラムにより、ＣＰＵ１１が、端末装置２１、２２、２３から取得された施設検索条件により施設情報データベース１４を検索して施設を検索する施設情報検索手段として、また、検索された施設の情報を端末装置２１、２２、２３に提供する施設情報提供手段として機能する。
【００２３】
施設情報記憶手段である施設情報データベース１４は、例えばＨＤ（Hard Disk）などの磁気ディスク、光ディスク、メモリカードなどの他、半導体メモリ等で構成される。この施設情報データベース１４は、記憶領域として、予め固定的に情報を記憶し書き換え不能な領域と、後述する書き込み情報などを適宜更新して記憶する書き換え可能領域とを備える。そして、この施設情報データベース１４には、店舗や公共施設やアミューズメント施設などの施設の情報が記憶されている。
【００２４】
端末装置は、ナビゲーション装置２１やパーソナルコンピュータ２２や携帯端末２３（携帯電話、携帯情報端末等）等の端末である。図１においては、これらを併記したが、これらのうち１つまたは複数で構成される。これら端末装置の構造の詳細は記載しないが、少なくとも通信装置２１ａ、２２ａ、２３ａを備え、ネットワーク３を介して施設情報サーバ１と送受信ができるよう構成されている。またこれら端末装置は、図示しないが、施設情報サーバ１に施設の検索条件を要求するための情報を入力する入力装置（例えば、表示装置に併設されたタッチパネル、リモコン、キーボード等）を備える。さらに、施設検索条件を入力するための画面を表示したり、施設情報サーバ１から受信した施設の施設情報等を表示したりするための表示装置を備える。
【００２５】
図２は、施設情報データベース１４のデータ構造の一例である。例えば飲食店の店舗で説明する。施設情報データベース１４の記憶領域には、施設データとして、飲食店のジャンル（例えばラーメン店、そば屋、中華料理店など）毎にデータ領域が区分され、さらにはそれらジャンル毎に区分された施設データが行政区域毎に区分されて各店舗（施設）の情報が記憶されている。行政区域毎に区分されて記憶する際、例えば、都道府県で区分し、その都道府県の下位階層として尾張地方や三河地方などの区分、さらにその下位階層として市町村として安城市、岡崎市、豊明市などの区分で記憶される。
【００２６】
各店舗の情報（施設データ）には、データベースにおける固有の施設ＩＤ２０１、地理上で場所を特定するための座標２０２、店舗の名称２０３、住所２０４、電話番号２０５、詳細情報２０６、書き込み情報２０７、評価情報２０８などの情報が記憶される。詳細情報２０６には、店舗の営業時間、写真、メニューなどの情報が含まれる。これら店舗（施設）の情報２０１から２０６が施設情報である。この施設情報は、予め施設情報データベースに記憶される固定的な情報である。ただし、上記では２０１から２０６の情報例で説明したが、その他、店舗へのアクセスマップなど他の情報が記憶されてもよい。また、詳細情報２０６に種々の詳細情報が記憶されていると説明したが、これらが別個の項目に分類されて記憶されてもよい。この施設情報には、少なくとも、施設を検索し、検索された施設の情報として提供するための情報が含まれている。
【００２７】
書き込み情報２０７は、ネットワーク３を介して接続される端末装置２１、２２、２３から書き込まれたコメントなどの情報を記憶する領域である。例えば、予め施設情報サーバ１にて書き込み情報を入力する画面を準備し、ＣＧＩ（Common Gateway Interface）などを利用して、ネットワーク３を介して接続された端末装置２１、２２、２３からコメントなどを書き込みするよう構成する。尚、この施設に対する書き込みについては、上述の他、予め端末装置側に書き込み情報を入力する画面を備え、ネットワーク３を介して端末装置から施設情報サーバ１に送信する際に、書き込み情報であることを認識するためのＩＤ等を付加して書き込み情報を送信するように構成するなど、施設情報サーバ１に書き込みできるものであればよい。
【００２８】
書き込み情報２０７は、その施設を利用したユーザの感想や評価などであり、フリーに文章で書き込むよう構成しても、予め施設情報サーバ側で固定の質問を準備し、その質問に対し回答（例えば形容詞を入力させたり、回答項目を列挙して選択させたり）するよう構成してもよい。この書き込み情報２０７は、ユーザから書き込まれた全ての情報を累積していってもよいし、所定数を超えた場合、古い書き込み情報から順に消去していってもよい。
【００２９】
評価情報２０８は、その施設に対して書き込まれた書き込み情報２０７を、施設情報サーバ１にて、総合的に解析した施設の評価の情報である。累積された書き込み情報２０７から、その感想や評価を統計的に処理して記憶する。その際、書き込みされた情報からポイントを算出し、その平均値を算出したり、総数を算出してもよい。
【００３０】
関連施設ＩＤ２０９は、その施設に関連する施設の施設ＩＤであり、関連施設データの一例である。例えば、ある店舗（施設）に姉妹店、支店・本店、系列店などがある場合、それらの店舗の施設ＩＤを記憶しておく。これにより、ある店舗に姉妹店などがある場合、この施設ＩＤを参照して、その姉妹店の店舗の情報にリンクすることが容易にできる。関連施設データの例として、上述では施設ＩＤ２０１にリンクするよう、関連施設ＩＤで説明したが、この他、関連する施設の名称や、施設情報データベース１４内のデータアドレスなどであってもよい。
【００３１】
施設情報データベース１４の施設データのうち、上述の２０１〜２０６、２０９の情報が固定的に情報を記憶する領域、２０７、２０８の情報が書き換え可能な記憶領域に記憶される。但し、２０１〜２０６、２０９の情報も適宜情報をアップデート（固定的な情報の改変などに対応）するため、施設情報サーバ１側で書き換え可能と構成することもできる。
【００３２】
次に、本実施の形態に係るシステムの動作をフローチャートに従って説明する。図３は施設情報提供装置である施設情報サーバ１とネットワーク３を介して通信する端末装置２１、２２、２３の各処理を示す。特に、施設情報提供装置である施設情報サーバ１内における施設検索条件手段、施設情報検索手段、及び施設情報提供手段の行う処理動作が示される。
【００３３】
図３に示すように、まず端末装置２１、２２、２３側のステップ（以下、Ｓと略記する）３０１において、施設検索条件が入力される。この検索条件の入力においては、端末装置２１、２２、２３に併設された入力装置にてユーザが検索したい施設の種々の条件を入力する。この施設検索条件は、ユーザが施設情報サーバ１に対して検索したい施設の、ジャンルや、地域や、他のユーザにより書き込みされた情報や、その書き込みされた情報から評価された評価情報が対象となる。端末装置２１、２２、２３にて検索条件を入力する際、施設情報サーバに対する入力フォーマットに対応して、施設のジャンルや、検索する地域や、後述する書き込み情報や評価情報の項目を選択できるよう、予め表示画面を規定してもよいし、フリーワードなどのキーワードを入力するようにしてもよい。
【００３４】
この端末装置２１、２２、２３において施設検索条件を入力する際の、入力画面表示例を図４に示す。図４は、フリーワードなどのキーワードを検索ワードとして入力する例である。検索ワードを図のように、例えば「ラーメン  三河」と入力する（各ワードの間にスペースを入力）ことにより、「ラーメン」、「三河」を検索ワードとする。
【００３５】
図３に戻って説明する。端末装置２１、２２、２３にて施設検索条件が入力され、例えば端末装置を使用するユーザが施設検索を開始する指示をすると、端末装置２１、２２、２３は、通信装置２１ａ、２２ａ、２３ａを介し、ネットワーク３経由で施設情報サーバ１にアクセスし、入力された施設検索条件を文字情報として、或いは符号化などして、施設情報サーバ１に送信する（Ｓ３０２）。尚、この際、端末装置２１、２２、２３側からそれぞれ固有の機種ＩＤやユーザＩＤ等を併せて送信する。
【００３６】
施設情報サーバ１は、端末装置２１、２２、２３からアクセスを受け、施設検索条件を受信し、例えばＲＡＭ１２に一時記憶する（Ｓ３０３、施設検索条件取得手段）と、受信・取得された施設検索条件により、施設情報データベース１４に記憶された施設情報にアクセスし、まず、その施設検索条件に合致する施設を検索する（Ｓ３０４）。
【００３７】
施設情報サーバ１は、施設検索条件に合致する施設を検索する際、受信・取得された施設検索条件に対し、施設情報データベース１４の各施設の施設情報を検索する。一例について、ナビゲーション装置２１から施設検索条件が送信された場合について説明する。ナビゲーション装置２１の詳細な構成は省略するが、ＧＰＳセンサなどナビゲーション装置２１の現在位置を検出することができ、また、地図情報を記憶し、その地図情報に基づいてナビゲーション装置２１の地図上での位置を示し、また地図情報に基づいて目的地などへの経路案内を表示画面に出力する。このナビゲーション装置２１では、画面上でのタッチパネルやリモコンなどの入力装置を備える。入力装置により、ユーザから施設情報サーバ１にアクセスして施設を検索するための施設検索条件が入力される。施設検索条件が入力され、ユーザが「検索」コマンドを操作すると、通信装置２１ａ及びネットワーク３を介して施設情報サーバ１にアクセスし、ナビゲーション装置２１固有のＩＤ、ナビゲーション装置２１にて検出された現在位置の座標情報、及び施設検索条件が施設情報サーバ１に送信される。それら各情報を受信・取得した施設情報サーバ１は、施設情報データベース１４に記憶された施設情報を検索する。検索にあたっては、例えば、上述のように検索ワードが「ラーメン」、「三河」であった場合、施設検索条件として、まず「三河」に含まれる市町村区域を特定する（例えば、安城市、岡崎市、西尾市など）。そして、施設検索条件にある施設ジャンル（ラーメン店）と特定された市町村区域から、施設情報データベース内の施設ＩＤを検索する（例えば、安城市、岡崎市、西尾市などのラーメン店）。尚、検索された施設の施設データは一旦、施設情報サーバ１内のＲＡＭ１２等に一時記憶される。その際、検索された施設データの全部のデータが一時記憶されてもよく、或いは端末装置が施設に関する情報を表示するために必要なデータのみを一時記憶されるようにしてもよい。
【００３８】
図３に戻ってその後の処理について説明する。Ｓ３０４において、取得された施設検索条件に合致する施設が検索されると、その検索された施設に関連する施設があるか否かを、施設情報データベース１４から検索する（Ｓ３０５）。その際、施設情報サーバ１のＣＰＵ１１にて、施設検索条件に合致する施設の関連施設ＩＤ２０９を参照処理する。この関連施設ＩＤに、関連する施設のＩＤが記憶されているか否かを判断する。
【００３９】
Ｓ３０５において、関連する施設があると判断されると、その関連する施設のＩＤから施設情報データベース１４内の対応するＩＤの施設データを検索する（Ｓ３０６）。尚、Ｓ３０５、Ｓ３０６では略記したが、実際の処理においては、Ｓ３０４で検索された施設が複数ある場合は、その複数の施設それぞれに対して順次Ｓ３０５、Ｓ３０６の処理を繰り返す。つまり、Ｓ３０４で検索された施設全てに対して、関連する施設の検索処理を行う。
【００４０】
上述の例（安城市、岡崎市、西尾市などのラーメン店の例）では、施設情報データベース１４の施設データに、「○○ラーメン安城店」の関連施設ＩＤに、系列店である「○○ラーメン岡崎店」及び「○○ラーメン豊明店」の施設ＩＤが記憶されている。上述の、施設検索条件に合致する検索では、検索条件の「三河」に含まれる市町村区域のラーメン店として、「○○ラーメン安城店」、「○○ラーメン岡崎店」などが検索される。そして、検索された「○○ラーメン安城店」の関連施設ＩＤを参照し、系列店である「○○ラーメン岡崎店」及び「○○ラーメン豊明店」が関連する施設として検索される。尚、その関連する施設のうち、「○○ラーメン豊明店」は豊明市にあり、「三河」で特定された市町村区域外（「尾張」の区域内）であるが、関連する施設として検索の対象とする。このように構成することにより、施設検索条件に合致する施設の他、施設検索条件に合致はしていないが、その関連する施設として、姉妹店などの系列店も検索することができる。ここで、関連する施設を示す関連施設ＩＤについて、例えば全国チェーンの店舗であれば、近隣（例えば所定距離内や同一都道府県内）の店舗のみ記憶させておくことも可能である。こうすることにより、関連する施設としてチェーン店などが検索されるが、あまりにも遠い店舗が検索されるようなことがなくなる。
【００４１】
図３に戻り、Ｓ３０７においては、Ｓ３０４にて検索された施設の施設データ、及びＳ３０６にて検索された施設の施設データを合わせて、検索された施設の情報として例えばＲＡＭ１２に一時記憶し、その情報を通信装置１５及びネットワーク３を介して端末装置２１、２２、２３に送信する。その際、端末装置２１、２２、２３側から送信された固有の機種ＩＤやユーザＩＤ等から、施設検索条件を送信してきた端末装置に対し、施設データを送信する。
【００４２】
次に、端末装置２１、２２、２３は、施設情報サーバ１から施設検索条件に対応した施設データを受信し（Ｓ３０８）、その施設データから検索された施設に関する情報を表示する（Ｓ３０９）。この際、端末装置２１、２２、２３は、施設情報サーバ１から送信された施設データの一部を選択したり、画像等に加工して表示したり、或いは施設データの全部を表示したりする。
【００４３】
端末装置２１、２２、２３の表示装置に表示される施設に関する情報の一例を図５に示す。表示装置の画面上には、ユーザが施設情報サーバ１に対して検索要求した施設検索条件（検索キーワード等）が表示される（５０１）。その下には施設情報サーバ１から送信された、施設検索条件に対応して検索された施設の名称が表示される（５０２）。その際、施設情報サーバ１から送信された施設データのうち、施設の名称が抽出され表示される。尚、この表示される施設の名称は、リスト表示される際、端末装置が例えばナビゲーション装置２１であれば、現在位置と送信された施設との距離が短い順に表示されるようソートした上で表示される。関連する施設がある場合は、それらはリストにおいて近接させて表示させることも可能である。例えば、上述のラーメン店の検索において、施設検索条件に合致する施設として「○○ラーメン安城店」、「○○ラーメン岡崎店」が検索され、その関連する施設である「○○ラーメン豊明店」も検索された場合、リスト上では、それらは固めて表示させる。そのように表示すると、ユーザは容易に関連する施設を含めた施設の情報を確認できる。
【００４４】
さらに図５の表示画面には、施設の名称表示リストの中で所望の名称を選択する（図の「○○ラーメン安城店」）と、地図画面と併せてその施設の位置がマークとともに表示される（５０６）。また、「情報」（５０４）を選択すると、その選択された施設の各種情報が表示される。さらに、「目的地セット」（５０５）を選択すると、その施設位置が目的地として設定され、その目的地までの経路案内等がなされるが、従来からあるナビゲーション装置の周知技術であるので、詳細な説明は省略する。
【００４５】
図３の処理ステップＳ３０３からＳ３０７の処理が、本発明の実施の形態における施設情報提供装置の動作の一例であるが、Ｓ３０３の処理が施設検索条件取得手段、Ｓ３０４からＳ３０６が施設情報検索手段、Ｓ３０７が施設情報提供手段の動作の例を示したものである。
【００４６】
上記図３または図３に準ずる処理動作に示す処理動作を行う施設情報サーバ１及び端末装置２１、２２、２３も含むシステムを構成することにより、施設検索条件に合致する施設とさらにその施設に関連する施設も検索されて提供されるので、施設検索において情報の幅が広がり、検索を要求したユーザにとっては、施設選択のための情報が拡充され利便性が向上する。
【００４７】
次に、本実施の形態に係るシステムの動作処理について、施設情報提供手段が行う施設情報提供の際に、ユーザからの書き込み情報やそれに基づいて施設情報提供装置が処理した評価情報により施設情報を検索する動作の例について説明する。
【００４８】
図６は、ユーザから施設情報提供装置（施設情報サーバ１）に書き込まれる、施設の情報の書き込み操作を行う表示画面の例である。施設の情報の書き込みは、端末装置２１、２２、２３にて行われ、ネットワーク３を介して施設情報サーバ１に送信され、施設情報サーバ１内の施設情報データベース１４内の該当する施設の施設データの書き込み情報２０８に記憶される。図６Ａは、施設を利用したユーザの感想や評価などをフリーに文章で書き込めるよう構成した例である。例えば「○○ラーメン安城点」の書き込み情報として、図のようにフリーに書き込むことができるようにする。
【００４９】
また、図６Ｂは、予め施設情報サーバ側で固定の質問を準備し、その質問に対し回答（例えば形容詞を入力させたり、回答項目を列挙して選択させたり）するよう構成した例である。「○○ラーメン安城店」の感想等を、図のような予め設定された質問に対し回答する。この質問に対する回答が書き込み情報となる。
【００５０】
図６Ａ、図６Ｂで示した書き込み情報が、ネットワーク３を介して施設情報サーバ１に送信される。施設情報サーバ１は書き込み情報を受信して、書き込まれた情報をそのまま、或いは加工して、施設データベース１４内の各施設データの書き込み情報２０８に記憶する。この書き込みがされる際、書き込みがなされた端末装置のＩＤやユーザＩＤなどを記憶するようにしてもよい。それらを記憶した場合は、後述する書き込み情報を提供する際、その書き込み情報の書き込み元として、例えば、男性なのか女性なのか、どの辺に住んでいる人なのか、などを参考情報として提供することが可能となる。また日時を合わせて記憶するようにしてもよい。日時を記憶すれば、書き込み情報のなされた日時を提供することができ、情報の新しさがユーザに分かるようになる。また、古い書き込み情報を施設情報データベース内で削除する場合にも利用できる。
【００５１】
この書き込み情報２０８に記憶（更新または蓄積）される情報について例示する。書き込みされた情報をそのまま記憶する例では、図６Ａで示した書き込みの場合では、フリーに書き込まれた文章やワードなどをそのままテキストとして記憶する。図６Ｂで示した書き込みの場合では、質問コードと回答コードとを紐付けて記憶する。
【００５２】
また、図６Ａで示した書き込みの場合で、フリーに書き込まれたテキスト文章から、施設の感想や評価に関する語句を抽出して、書き込み情報２０８に記憶するよう構成してもよい。テキスト文章から言語解析し、分節等に分け、例えば形容詞に相当する語句を抽出するプログラムは周知の技術を用いるため詳述しないが、このプログラムが予め施設情報サーバ１内の例えばＲＡＭ１２に記憶されている。また、このように言語解析する際、ユーザの書き込み情報がフリーに書き込まれると、同義であるが違う言葉や表記で書き込まれている場合がある。例えば、「おいしい」の同義語、表記の違うものとして、「うまい」、「旨い」、「ウマい」、「美味しい」、「美味」などである。これらを集約して、例えば「おいしい」など、１つの代表語句に集約するようにしてもよい。その際、予め同義語のテーブルを施設情報サーバ１のＲＡＭ１２に記憶しておき、言語解析する際、代表語句に置き換えて記憶させることも可能である。
【００５３】
さらに、上述の言語解析した結果を記憶する際、例えば形容詞がどの種類の感想や評価に相当するかを紐付けて記憶するようにしてもよい。例えば、「おいしい」などは味に関する評価、「高い」、「安い」などは価格に関する評価、「広い」、「きれい」などは店舗の雰囲気に関する評価などとして、書き込まれて言語解析され抽出された語句を、感想や評価の項目別に分類して記憶する。
【００５４】
次に、施設情報データベース１４の施設データの評価情報２０９について説明する。この評価情報２０９は、書き込み情報２０８を、施設情報サーバ１にて総合的に解析した施設の評価の情報として記憶される。本例においては、書き込み情報に含まれる付随的な情報とする。
【００５５】
図６Ａのようにフリーに書き込まれた場合で、書き込み情報２０８に上述のように言語解析され抽出された語句を記憶する場合、それらの語句を感想や評価の項目別に分類し、その分類毎に語句の総数を求める。例えば、項目が価格であれば、「高い」、「程々」、「安い」と書き込まれた総数をそれぞれ求める。評価情報２０９には、その総数自体を記憶しても、全体の書き込み数中の割合を算出して記憶しても、或いは予め各感想や評価に対してポイントを設定して、そのポイント総数やポイントの平均値を算出して記憶してもよい。
【００５６】
図７にて、ユーザからの書き込み情報やそれに基づいて施設情報提供装置が処理した評価情報により施設情報を検索、提供するシステムの動作をフローチャートに従って説明する。図３のフローチャートと相違する点を中心に詳述する。
【００５７】
まず、端末装置２１、２２、２３において、施設検索条件が入力される（Ｓ７０１）。そして、端末装置を使用するユーザが施設検索を開始する指示をすると、端末装置２１、２２、２３は、通信装置２１ａ、２２ａ、２３ａを介し、ネットワーク３経由で施設情報サーバ１にアクセスし、入力された施設検索条件を施設情報サーバ１に送信する（Ｓ７０２）。その後、施設情報サーバ１は、端末装置２１、２２、２３からアクセスを受け、施設検索条件を受信し、例えばＲＡＭ１２に一時記憶する（Ｓ７０３）。そして、受信・取得された施設検索条件により、施設情報データベース１４に記憶された施設情報にアクセスし、まず、その施設検索条件に合致する施設を検索する（Ｓ７０４）。
【００５８】
施設検索条件に合致する施設を検索する際、図３に関する説明でも述べたように、端末装置２１、２２、２３にてフリーワードなどのキーワードを入力した場合、まず施設情報サーバ１は、「三河」や「ラーメン店」に対し、地域やジャンルに該当する施設を検索する。そして、施設情報データベース１４内の書き込み情報２０８を参照して、送信されたキーワードに該当する施設を検索する。その際、上述のように書き込み情報２０８に言語解析され抽出した語句が代表語句に置き換えられている場合、送信されたキーワードを代表語句に置き換えて検索する。また、書き込み情報２０８が項目別に分類して記憶されている場合、送信された各キーワードがどの項目に相当するかを判断して検索する。
【００５９】
また、施設検索条件に合致する施設を検索する際、書き込み情報に含まれる付随的な情報である評価情報２０９に基づき検索するよう構成することもできる。例えば、送信されたキーワードが「安い」であれば、評価情報２０９の価格に関する項目で「安い」と書き込まれた割合が例えば７５％以上の施設を検索する。
【００６０】
Ｓ７０４において、取得された施設検索条件に合致する施設が検索されると、その検索された施設の書き込み情報２０８を取得し、ＲＡＭ１２等に一時記憶する（Ｓ７０５）。ここで、一時記憶される施設データとして、書き込み情報２０８の他、適宜名称２０３や詳細情報２０６などが記憶される。
【００６１】
そして、その検索された施設に関連する施設があるか否かを、施設情報データベース１４から検索する（Ｓ７０６）。Ｓ７０６において、関連する施設があると判断されると、その関連する施設のＩＤから施設情報データベース１４内の対応するＩＤの施設データを検索する（Ｓ７０７）。そして、Ｓ７０７で検索された施設に対し、関連元となる施設の書き込み情報を、関連する施設の書き込み情報として補間して一時記憶する（Ｓ７０８）。
【００６２】
ここで、ＲＡＭ１２等に一時記憶される、検索された施設の情報について図８にて説明する。上述の図７における処理において、Ｓ７０４で検索され、Ｓ７０５で一時記憶される施設の情報は、それら施設のＩＤ８０１、図示しない施設の名称や詳細情報、書き込み情報８０２、関連施設ＩＤ８０３からなる。そして、Ｓ７０７で検索され、Ｓ７０８で一時記憶される施設の情報は、関連元となる施設の書き込み情報が取得されて書き込み情報８０２として記憶される。尚、この関連する施設の書き込み情報は、関連元となる施設の書き込み情報をコピーして記憶しても、関連元となる書き込み情報記憶位置のリンク先で記憶してもよい。この、関連する施設の書き込み情報を関連元からコピー等して記憶する場合、関連元の全ての書き込み情報をコピー等してもよいが、例えば、系列店であれば、調理法やメニューなどが同じであるが、店舗の広さやアクセスなど異なるものもある。よって、関連する施設の書き込み情報を関連元の書き込み情報から、情報として有益となる項目の情報を選択してコピー等するようにしてもよい。
【００６３】
尚、図７において、Ｓ７０４で検索された施設が複数ある場合は、その複数の施設それぞれに対して順次Ｓ７０６、Ｓ７０７の処理を繰り返す。つまり、Ｓ７０４で検索された施設全てに対して、関連する施設の検索処理を行う。
【００６４】
次に、Ｓ７０５、Ｓ７０８で一時記憶された施設データを通信装置１５及びネットワーク３を介して端末装置２１、２２、２３に送信する。その際、端末装置２１、２２、２３側から送信された固有の機種ＩＤやユーザＩＤ等から、施設検索条件を送信してきた端末装置に対し、施設データを送信する。
【００６５】
そして、端末装置２１、２２、２３は、施設情報サーバ１から施設検索条件に対応した施設データを受信し（Ｓ７１０）、その施設データから検索された施設に関する情報を表示する（Ｓ７１１）。この際、端末装置２１、２２、２３は、施設情報サーバ１から送信された施設データの一部を選択したり、画像等に加工して表示したり、或いは施設データの全部を表示したりする。
【００６６】
上述の例において、端末装置２１、２２、２３の表示装置に表示される施設に関する情報の一例を図９に示す。まず、表示画面には、上述の図５で示した画面が表示され、その画面上の「情報」５０４を選択すると、図９Ａまたは図９Ｂに示す画面が表示される。
【００６７】
図９Ａでは、図５において選択された施設の情報として、例えば「○○ラーメン安城店」の書き込み情報のテキスト文章が、そのまま表示される。それら書き込み情報とともに、書き込みの日時やユーザＩＤ等から判断した性別や年齢層や住居区域などを加えて表示することも可能である。
【００６８】
図９Ｂでは、図５において選択された施設の情報として、評価情報が表示される。情報提供サーバ１が、書き込み情報から評価情報を求めて記憶し、検索された施設の評価情報を端末装置に送信する場合であれば、その評価情報を表示する。例えば図９Ｂのように、項目毎に書き込み情報に書き込まれている感想や評価の割合等を表示する。
【００６９】
更に、図９Ａ、図９Ｂで「詳細」を選択すると、図９Ｃに示すように、選択された施設のその他詳細情報等が表示される。
【００７０】
図７の処理ステップＳ７０３からＳ７０９の処理が、本発明の実施の形態における施設情報提供装置の動作の一例であるが、Ｓ７０３の処理が施設検索条件取得手段、Ｓ７０４からＳ７０８が施設情報検索手段、Ｓ７０９が施設情報提供手段の動作の例を示したものである。
【００７１】
上記図７または図７に準ずる処理動作に示す処理動作を行う施設情報サーバ１及び端末装置２１、２２、２３も含むシステムを構成することにより、施設検索条件に合致する施設とさらにその施設に関連する施設も検索されて提供されるので、施設検索において情報の幅が広がり、検索を要求したユーザにとっては、施設選択のための情報が拡充され利便性が向上する。さらに、書き込み情報やその書き込み情報から求められた評価情報を提供されるので、施設に関する第三者の感想や評価をもとに施設を選択することができ、さらに利便性が向上する。また、検索条件に合致した施設の書き込み情報を、その施設に関連する施設の情報として提供することができ、ユーザにとって施設の選択にあたり有益な情報を得ることができる。
【００７２】
次に、本実施の形態にかかるシステムの動作処理について、ユーザからの書き込み情報やそれに基づいて施設情報提供装置が処理した評価情報により施設情報検索手段が施設情報を検索する他の例を説明する。
【００７３】
本例では、書き込み情報やそれに基づく評価情報を基に施設を検索する際、書き込み情報や評価情報がない施設でも、関連施設に書き込み情報や評価情報があれば、それを基に検索できるようにするものである。例えば、ユーザが要求した施設検索条件に書き込み情報や評価情報をもとに検索するキーワード等が含まれている場合、施設検索条件に地域の指定があると、その地域内に含まれ、かつ書き込み情報や評価情報からユーザが要求したキーワードが含まれる施設が検索される。しかし、ユーザが要求した地域内に、チェーン店の１店があり、その店には書き込み情報のない店があるが、要求した地域外に書き込み情報があるチェーン店の他店がある場合、前者の地域内の店は検索されないことになる。
【００７４】
そこで、本例では、ユーザが要求した施設検索条件に合致する際、その関連施設の書き込み情報や評価情報を基に、書き込み情報や評価情報のない施設も検索するよう構成するものであり、施設検索において情報の幅が広がり、検索を要求したユーザにとっては、施設選択のための情報が拡充され利便性が向上するという効果を有するものである
。
【００７５】
図１０は、ユーザからの書き込み情報やそれに基づいて施設情報提供装置が処理した評価情報により施設情報検索手段が施設情報を検索する動作を示したフローチャートである。図３や図７のフローチャートと相違する点を中心に詳述する。
【００７６】
まず、端末装置２１、２２、２３において、施設検索条件が入力される（Ｓ１００１）。そして、端末装置を使用するユーザが施設検索を開始する指示をすると、端末装置２１、２２、２３は、通信装置２１ａ、２２ａ、２３ａを介し、ネットワーク３経由で施設情報サーバ１にアクセスし、入力された施設検索条件を施設情報サーバ１に送信する（Ｓ１００２）。その後、施設情報サーバ１は、端末装置２１、２２、２３からアクセスを受け、施設検索条件を受信し、例えばＲＡＭ１２に一時記憶する（Ｓ１００３）。そして、受信・取得された施設検索条件により、施設情報データベース１４に記憶された施設情報にアクセスし、まず、その施設検索条件のうち、書き込み情報に関する検索条件以外の施設検索条件に合致する施設を検索する（Ｓ１００４）。
【００７７】
ここで、端末装置２１、２２、２３において施設検索条件を入力する際の、入力画面表示例を図１１に示す。検索ワードを図のように、例えば「ラーメン  三河  おいしい」と入力することにより、「ラーメン」、「三河」、「おいしい」を検索ワードとする。
【００７８】
ここで、施設情報サーバ１は、取得された検索ワードそれぞれについて、施設情報データベース１４内の施設データのうち、どの施設情報あるいは書き込み情報や評価情報を検索対象とするか判断する。例えば、上述の検索ワードで「ラーメン」は施設のジャンルと判断し、「三河」は地域（市町村区域）と判断する。「ラーメン」に対しては、図２で示す施設情報データベース１４内の施設データのうち、ジャンルが「ラーメン店」のデータ領域を特定する。「三河」に対しては、三河地方に含まれる市町村（安城市、岡崎市、西尾市など）のデータ領域を特定する。ここで、特に地域に関しては、「三河」に対して三河地方に含まれる市町村など、地域を表わすワードと該当する地域との組み合わせを予めテーブルとしてＲＡＭ１２に記憶しておき、検索処理時に参照する。施設情報サーバ１は、検索ワードの「おいしい」は感想や評価に関するワードと判断し、書き込み情報２０７、あるいは評価情報２０８を検索対象とすると判断する。
【００７９】
そして、施設情報サーバ１は、上述の検索ワード（「ラーメン」、「三河」）に対して、ジャンルがラーメン店であり、三河地方である安城市、岡崎市、西尾市などに含まれる施設を検索し、それら検索された施設の施設ＩＤ２０１の他施設データを例えばＲＡＭ１２内に一時記憶する。ここで、検索された施設に書き込み情報や評価情報がある場合には、その書き込みや評価情報もＲＡＭ１２内に一時記憶する。
【００８０】
図１０に戻り、次にＳ１００４にて検索された施設について、それら施設に関連する施設を施設情報データベース１４の関連施設ＩＤ２０９により検索する（Ｓ１００５）。そして、関連する施設のある施設について、書き込み情報２０７や評価情報２０８があるか否かを検索する。
【００８１】
Ｓ１００５にて検索された関連する施設のある施設のうち、書き込み情報や評価情報がない施設について、関連する施設の書き込み情報２０７または評価情報２０８を参照し、関連する施設に書き込み情報または評価情報がある場合には、それら書き込み情報または評価情報をコピーして、関連元の施設の書き込み情報または評価情報とし、ＲＡＭ１２等に一時記憶する（Ｓ１００６）。これら施設の情報を一時記憶する際、前述の図８で示した一時記憶される情報と同様に、Ｓ１００４で検索された施設の情報と、それら施設に対して関連する施設の書き込み情報や評価情報が加えられて記憶される。このように一時記憶される情報を構成することにより、元々書き込み情報や評価情報などがない施設についても、関連する施設の書き込み情報や評価情報で補間して、書き込み情報や評価情報に関する検索ワードに対する検索対象とすることができる。
【００８２】
上述では、Ｓ１００５で検索された関連する施設のある施設のうち、書き込み情報や評価情報のない施設について、関連する施設の書き込み情報または評価情報をコピーして補間するよう構成した。この他、Ｓ１００５で検索された関連する施設のある施設全てに対して、関連する施設の書き込み情報または評価情報をコピーするようにしてもよい。この際、施設検索条件に合致する施設に書き込み情報や評価情報が既に記憶されていて、さらに関連する施設の書き込み情報や評価情報が補間されて記憶される。その場合には、既に記憶されている書き込み情報や評価情報が、後述する書き込み情報や評価情報に基づく検索時に優先されるよう、記憶領域を分けて記憶されるよう構成してもよい。その際には、関連する施設の書き込み情報や評価情報は、参考情報などとして扱われるようにし、口述する施設検索には用いられないが、端末装置に送信される情報としては用いられる、などの利用ができる。
【００８３】
次に、Ｓ１００７にて、施設検索条件に合致する施設を検索する。上述の例では、ＲＡＭ１２内に、既に書き込み情報に関する施設検索条件以外の条件で検索された施設が記憶されているので、ここでは、書き込み情報や評価情報に関する施設検索条件で施設が検索される。例えば、ＲＡＭ１２内に一時記憶された、「ラーメン」、「三河」の検索ワードに該当する施設の中から、ＲＡＭ１２に一時記憶された書き込み情報や評価情報を参照して、「おいしい」に該当する施設を検索する。この書き込み情報や評価情報を参照して施設を検索する方法については、前述の図７等で説明した方法が適用される。
【００８４】
Ｓ１００７において、取得された施設検索条件に合致する施設が検索されると、その検索された施設データを取得し、ＲＡＭ１２等に一時記憶する（Ｓ１００８）。
【００８５】
そして、Ｓ１００８で一時記憶された施設データを通信装置１５及びネットワーク３を介して端末装置２１、２２、２３に送信する（Ｓ１００９）。その際、端末装置２１、２２、２３側から送信された固有の機種ＩＤやユーザＩＤ等から、施設検索条件を送信してきた端末装置に対し、施設データを送信する。
【００８６】
その後、端末装置２１、２２、２３は、施設情報サーバ１から施設検索条件に対応した施設データを受信し（Ｓ１０１０）、その施設データから検索された施設に関する情報を表示する（Ｓ１０１１）。
【００８７】
図１０の処理ステップＳ１００３からＳ１００９の処理が、本発明の実施の形態における施設情報提供装置の動作の一例であるが、Ｓ１００３の処理が施設検索条件取得手段、Ｓ１００４からＳ１００８が施設情報検索手段、Ｓ１００９が施設情報提供手段の動作の例を示したものである。
【００８８】
ここで、関連する施設を示す関連施設ＩＤ２０９について、全てのチェーン店など関連する施設のＩＤを持たせてもよい。このように構成すると、例えば全国チェーンの店舗であり、施設検索条件で指定した地域内、さらにはその近隣の店舗にも書き込み情報などがないが、遠方の地域にある店舗に書き込み情報などがある場合でも、その書き込み情報をもとに書き込み情報を補間することができる。
【００８９】
また、関連施設ＩＤについて、同一のジャンルに絞って持たせるようにしてもよい。例えば姉妹店ではあるが、同一のジャンルではない施設がある場合、書き込み情報や評価情報のいくらかが関係しない場合が多い。同一のジャンルに絞れば、姉妹店等の関連する施設の書き込み情報や評価情報がより有効となる。
【００９０】
尚、上述の図１０に示す処理の説明では、Ｓ１００４において、施設検索条件のうち、書き込み情報に関する検索条件以外の施設検索条件に合致する施設を検索する際、ジャンル（「ラーメン店」）と地域（「三河」）の施設検索条件に含まれる施設をまず検索するよう構成した。これに変えて、Ｓ１００４にて、まず施設検索条件のうちジャンルに該当する施設だけを検索し、ＲＡＭ１２等に一時記憶するよう構成してもよい。その場合、Ｓ１００５にて、検索された施設の関連施設を検索し、Ｓ１００６にて、関連施設の書き込み情報や評価情報を補間して一時記憶し、Ｓ１００７にて、地域と書き込み情報や評価情報に関する施設検索条件にて施設を検索する。さらには、Ｓ１００４にて地域のみ、Ｓ１００７にてジャンルと書き込み情報や評価情報に関する検索を行うよう構成してもよい。
【００９１】
即ち、Ｓ１００４からＳ１００８が施設情報検索手段の例であるが、施設情報提供装置である施設情報サーバ１において受信・取得された施設検索条件に対し、その施設検索条件に合致する施設と、書き込み情報や評価情報が元々はない施設も関連施設の情報を基に検索できればよい。これらの処理は、施設情報データベース１４の施設データのデータ構造、及び２０１から２０６で示した施設情報の内容に依存させればよい。
【００９２】
上述の図１０の例では、書き込み情報や評価情報に関する施設検索条件として、ジャンルと地域で説明したが、例えば電話番号の市外局番を施設検索条件としてユーザが要求した場合、施設データの電話番号２０５を検索して、要求された市外局番を含む施設を検索してもよい。その他、名称や住所に含まれる文字をユーザが要求した場合、名称２０３や住所２０４を参照して、その文字を含む施設を検索してもよい。
【００９３】
上記図１０または図１０に準ずる処理動作を行う施設情報サーバ１及び端末装置２１、２２、２３も含むシステムを構成することにより、ユーザが要求した施設検索条件に合致した施設を検索する際、その関連施設の書き込み情報や評価情報を基に、書き込み情報や評価情報のない施設も検索するよう構成するものであり、施設検索において情報の幅が広がり、検索を要求したユーザにとっては、施設選択のための情報が拡充され利便性が向上するという効果を有するものである。
【００９４】
尚、本発明は上述の実施例に限定されるものではなく、本発明の要旨を逸脱しない範囲内で種々の改良、変形が可能であることは勿論である。
【００９５】
例えば、図１においては、施設情報サーバ１と通信装置１５は独立して構成されているが、施設情報サーバ１に通信装置１５を内在させてもよい。
【００９６】
また、端末装置は、ナビゲーション装置２１やパーソナルコンピュータ２２や携帯端末２３（携帯電話、携帯情報端末等）等の端末として説明したが、施設情報検索のための施設検索条件を入力できる入力装置と、ネットワーク３を介して施設情報サーバ１と情報の送受信が可能であり、施設情報サーバ１から送信された情報を表示する表示装置を備える装置であれば適宜変更可能である。
【００９７】
さらに、施設情報提供装置である情報提供サーバ１は、端末装置２１、２２、２３とは別の（例えば情報センター）装置であり、ネットワーク３を介し情報の送受信をするシステムで説明したが、施設情報サーバ１の各構成を端末装置側に持たせてもよい。その場合、端末装置に他の端末装置と通信する機能を有し、上述の書き込み情報を他の端末装置から受信し、端末装置内の記憶装置（施設情報データベース）に蓄積していき、端末装置内で施設検索条件の入力から検索された施設の情報を表示する。即ち、端末装置の一部を施設情報提供装置としての構成とするようにしてもよい。
【符号の説明】
【００９８】
１      施設情報サーバ
２      端末装置
３      ネットワーク
１１    ＣＰＵ
１２    ＲＡＭ
１３    ＲＯＭ
１４    施設情報データベース
１５、２１ａ、２２ａ、２３ａ  通信装置
２１    ナビゲーション装置
２２    パーソナルコンピュータ
２３    携帯端末
【図１】
2011107874.tif 000003
【図２】
2011107874.tif 000004
【図３】
2011107874.tif 000005
【図４】
2011107874.tif 000006
【図５】
2011107874.tif 000007
【図６】
2011107874.tif 000008
【図７】
2011107874.tif 000009
【図８】
2011107874.tif 000010
【図９】
2011107874.tif 000011
【図１０】
2011107874.tif 000012
【図１１】
2011107874.tif 000013